(57)【要約】【課題】簡単な構造でしかもシンプルな製造装置で製造することが可能であり、水中画像撮影システムに適する釣り用ケーブルを提供する。【解決手段】一端側が先細であり所定の口径を有する筒材と、該筒材を側面から加熱する加熱装置と、前記筒材の先細の一端側に設けられた巻取装置とから構成された釣り用ケーブル製造装置を使用し、画像情報を伝達する同軸ケーブルと、耐張力性を有する釣り用糸とを筒状の熱収縮性合成樹脂フィルムに挿通し、該熱収縮性合成樹脂フィルムを加熱して軟化させ長手方向に伸張して一体に構成した。【選択図】        図１
2010057477.tif 000002
【特許請求の範囲】
【請求項１】
画像情報を伝達する少なくとも一つ以上の同軸ケーブルと、耐張力性を有する少なくとも１つ以上の線材とを円柱状の合成樹脂中に挿通し、一体に構成したことを特徴とする釣り用ケーブル。
【請求項２】
画像情報を伝達する少なくとも一つ以上の同軸ケーブルと、耐張力性を有する線材である釣り用糸とを筒状の熱収縮性合成樹脂フィルムに挿通し、該熱収縮性合成樹脂フィルムを加熱して軟化させ長手方向に伸張して一体に構成したことを特徴とする請求項１に記載の釣り用ケーブル。
【請求項３】
請求項２に記載の釣り用ケーブルを製造する製造装置であって、一端側が先細であり所定の口径を有する筒材と、該筒材を側面から加熱する加熱装置と、前記筒材の先細の一端側に設けられた巻取装置とからなり、前記画像情報を伝達する同軸ケーブルと、耐張力性を有する線材である釣り用糸を挿通した筒状の熱収縮性合成樹脂フィルムの一端側を、前記筒材に挿入し、該筒材の側面部を加熱装置によって加熱して前記先細の一端側から牽引し、前記巻取装置によって巻取ることを特徴とする釣り用ケーブル製造装置。
【請求項４】
請求項１又は２に記載の釣り用ケーブルと、該釣り用ケーブルの一端にて耐張力性を有する線材である釣り用糸によって保持され、前記同軸ケーブルと連結された水中の画像を撮影する撮像装置と、前記釣り用ケーブルの他端に連結された画像再生装置とからなり、前記撮像装置は電源及び光源を有し、魚釣り用の仕掛けを連結して該仕掛け側の水中画像を撮影可能とし、また前記画像再生装置は釣竿の元部に設けられ、前記釣り用ケーブルを巻き取るリールを介して前記同軸ケーブルと接続され、前記撮像装置で撮影された水中画像を再生することを特徴とする水中画像撮影システム。
【請求項５】
前記水中画像撮影システムにおいて、撮像装置の電源は、外部磁気部材によりオンオフ可能な、磁気スイッチをさらに含むことを特徴とする請求項４に記載の水中画像撮影システム。
【発明の詳細な説明】
【技術分野】
【０００１】
本発明は、釣り用ケーブルとその製造装置及びこれを用いた水中画像撮影システムに関するものである。
【背景技術】
【０００２】
今日、魚釣りは年齢に関係なく広く一般に親しまれる趣味であり、また様々な釣り用の道具の開発と共に、スポーツの一つとして多様化が進んでいる。
【０００３】
しかしながら、魚の居場所を探る魚探システムなどを使って魚の有無は感知することは可能であるが、実際に自分が使っている釣り用針の近くにどんな魚がいるのか、またどんな魚が掛かったのかは、釣り上げるまでは判らないのが現実であった。
【０００４】
そこで、撮像装置と、水上又は地上に配置され、電源を有していると共に撮像装置が撮像した水中の映像を表示する受像装置と、この受像装置と撮像装置とを接続して映像信号と電力を相互に供給する電気信号線を備えた水中撮影装置が提案されている（特許文献１参照。）。また、内部被膜層が形成された電源供給線と、映像信号線と、音響、超音波、温度または制御信号を伝達するための一つ以上の制御線とを備えており、前記各線の外部を柔軟性及び耐磨耗性のモールディング樹脂及び繊維によりモールディングまたは充填し、その外部に再び耐磨耗性の外部被膜を形成した多機能ケーブルもある（特許文献２参照。）。
【先行技術文献】
【特許文献】
【０００５】
【特許文献１】特開２０００−１８０９３０号公報
【特許文献２】特表２００５−５２８７７４号公報
【発明の概要】
【発明が解決しようとする課題】
【０００６】
しかしながら、上記特許文献１の水中撮像装置は、撮像装置を受像装置とを太い電気信号線で繋ぐか、電気信号線と釣り用糸とを結合したり分離させるカプラーを必要とするものであり、通常の釣り竿や巻取り用のリールとの接続が複雑になるものであった。
【０００７】
また、上記特許文献２に記載された技術は、複合型のケーブルによって水中映像の撮影を可能とするものであり、電源用線や映像信号用線を複数一体にし、さらにその外部をモールディング樹脂などで充填し、またその外部を耐磨耗性の被膜層を形成するため、構造が複雑で直径が太くなり、非常に高価なケーブルとなった。
【０００８】
そこで本発明は、上記従来の問題点に鑑みなされたもので、簡単な構造でしかもシンプルな製造装置で製造することが可能であり、水中画像撮影システムに適する釣り用ケーブルを提供するものである。
【課題を解決するための手段】
【０００９】
このため本発明の釣り用ケーブルは、画像情報を伝達する少なくとも一つ以上の同軸ケーブルと、耐張力性を有する少なくとも１つ以上の線材とを円柱状の合成樹脂中に挿通し、一体に構成したことを特徴とする。
【００１０】
また、画像情報を伝達する少なくとも一つ以上の同軸ケーブルと、耐張力性を有する線材である釣り用糸とを筒状の熱収縮性合成樹脂フィルムに挿通し、該熱収縮性合成樹脂フィルムを加熱して軟化させ長手方向に伸張して一体に構成したことを特徴とする。
【００１１】
そして、本発明の釣り用ケーブル製造装置は、一端側が先細であり所定の口径を有する筒材と、該筒材を側面から加熱する加熱装置と、前記筒材の先細の一端側に設けられた巻取装置とからなり、前記画像情報を伝達する同軸ケーブルと、耐張力性を有する線材である釣り用糸を挿通した筒状の熱収縮性合成樹脂フィルムの一端側を、前記筒材に挿入し、該筒材の側面部を加熱装置によって加熱して前記先細の一端側から牽引し、前記巻取装置によって巻取ることを特徴とする。
【００１２】
しかも、本発明の釣り用ケーブルを使用する水中画像撮影システムは、釣り用ケーブルと、該釣り用ケーブルの一端にて耐張力性を有する線材である釣り用糸によって保持され、前記同軸ケーブルと連結された水中の画像を撮影する撮像装置と、前記釣り用ケーブルの他端に連結された画像再生装置とからなり、前記撮像装置は電源及び赤外線ランプを含む光源を有し、魚釣り用の仕掛けを連結して該仕掛け側の水中画像を撮影可能とし、また前記画像再生装置は釣竿の元部に設けられ、前記釣り用ケーブルを巻き取るリールを介して前記同軸ケーブルと接続され、前記撮像装置で撮影された水中画像を再生することを特徴とする。
【００１３】
さらに、撮像装置の電源は、外部磁気部材によりオンオフ可能な、磁気スイッチをさらに含むことを特徴とする。
【発明の効果】
【００１４】
本発明に係る釣り用ケーブルによれば、画像情報を伝達する同軸ケーブルと、耐張力性を有する線材である釣り用糸とを筒状の熱収縮性合成樹脂フィルムに挿通し、該熱収縮性合成樹脂フィルムを加熱して軟化させ長手方向に伸張して一体に構成したため、釣り用糸の引っ張り強度を保ちながら、リールによる巻取りができる太さであり、しかも水中画像を伝達することができるという優れた効果を有する。
【００１５】
しかも、本発明の釣り用ケーブル製造装置は、一端側が先細であり所定の口径を有する筒材と、該筒材を側面から加熱する加熱装置と、前記筒材の先細の一端側に設けられた巻取装置とから構成されており、構造が簡単であると共に、長尺のケーブルを安定して作成することができるという優れた効果を有する。
【００１６】
そして、本発明の釣り用ケーブルを使用する水中画像撮影システムは、撮像装置側に電源を有しており、電源伝達線を必要とせず水中画像の撮影が可能であり、また釣り用ケーブルの釣り用糸で撮像装置が保持されているためリールを操作しながら水中の画像を撮影できるという効果を有する。しかもこの撮像装置の電源は外部磁気部材によりオンオフ可能な、磁気スイッチをさらに含むため、防水性に優れる。
【図面の簡単な説明】
【００１７】
【図１】本発明の釣り用ケーブルを示す説明図である。
【図２】本発明の釣り用ケーブルの他の実施例を示す説明図である。
【図３】本発明の釣り用ケーブルの製造装置を示す説明図である。
【図４】本発明の釣り用ケーブルを使用する水中画像撮影システムを示す斜視説明図である。
【図５】撮像装置を示す説明図である。
【図６】撮像装置と釣り用の仕掛けの配置を示す説明図である。
【発明を実施するための形態】
【００１８】
以下、本発明を実施するための最良の形態を図面に示す実施例に基づいて説明するが、本発明が本実施例に限定されないことは言うまでもない。図１は本発明の釣り用ケーブルを示す斜視図、図２は本発明の釣り用ケーブルの他の実施例を示す斜視図、図３本発明の釣り用ケーブルの製造装置を示す説明図、図４は本発明の釣り用ケーブルを使用する水中画像撮影システムを示す説明図、図５は撮像装置を示す説明図、図６は撮像装置と釣り用の仕掛けの配置を示す説明図である。
【実施例】
【００１９】
図１に示すように、本発明の釣り用ケーブル１は、画像情報を伝達する同軸ケーブル２と、釣り用糸３を筒状の熱収縮性合成樹脂フィルム４に挿通し、この熱収縮性合成樹脂フィルム４を加熱して軟化させ長手方向に伸張して一体に構成されている。同軸ケーブル２は後述する水中画像信号を伝達可能な径０．３〜１．０ｍｍのものが採用され、また釣り用糸３は耐張力性を有する材料が使用されている。そして、熱収縮性合成樹脂フィルム４の素材としては、加熱温度が１００〜２００℃で、表面の摩擦が低いフッ素樹脂製の筒状フィルムが好適に使用され、上記の加熱によってこの筒状フィルムが軟化して長手方向に伸びると共に、径方向に収縮して同軸ケーブル２と釣り用糸３が一体に形成されている。
【００２０】
この構成からなる本発明の釣り用ケーブル１は、同軸ケーブル２によって後述する水中の画像を伝達することが可能であり、また釣り用糸３の耐張力性によって釣竿による通常の釣り操作が可能である。しかも熱収縮性合成樹脂フィルム４による防水効果と、滑り効果によってリールによる巻取り操作が可能である。尚、本実施例においては同軸ケーブル２を１本使用した例を説明しているが、２本以上を使用して釣り用ケーブル１を形成しても良いことは無論である。
【００２１】
図２は、本発明の釣り用ケーブル１の他の実施例を示しており、図２ａ、図２ｂは夫々釣り用糸３の数が異なる場合を示している。図に示すように、本発明の釣り用ケーブル１は同軸ケーブル２に対して釣り用糸３が、対向する位置か周囲の均等位置に配置され、フッソ樹脂による押し出し成形によって一体に形成されている。そしてこの釣り用ケーブル１の両端側において、釣り用糸２と同軸ケーブル３は夫々分離した状態でまとめられて使用される。尚、釣り用糸３の材質としては合成樹脂に限らずステンレスなどの鋼材も使用される。
【００２２】
次に図３により本発明の釣り用ケーブル１を製造する製造装置を説明する。
【００２３】
図に示すように、本発明の釣り用ケーブル製造装置５は、基台６上に設置された筒体７と、加熱装置８と、巻取り装置９とから構成されており、図中右側から供給される釣り用ケーブル１が筒体７を挿通して加熱装置８による加熱によって軟化されて牽引され、巻取り装置９によって巻き取られる。
【００２４】
筒体７は、一端側に先細部１０が形成されたガラスや金属から形成されており、この先端側口径は釣り用ケーブル１の仕上がり外径に合わせて略漏斗形状に形成されており、加熱装置８による加熱によって筒体７の先細部１０内部が加熱される。尚、筒体７は一対の保持体１１によって保持される。
【００２５】
加熱装置８は、上記筒体７の先細部１０を温風もしくは電熱装置（図示せず）によって加熱するものであり、温度制御装置（図示せず）によって１００〜２００℃の適宜温度に設定されて、先細部１０を加熱する。
【００２６】
巻取り装置９は先細部１０側に設置され、軟化された釣り用ケーブル１を牽引しながら自動で巻き取りが可能な、例えば電動リールが使用される。
【００２７】
上記の構成からなる本発明の釣り用ケーブル製造装置は、釣り用ケーブルを構成する同軸ケーブルと、釣り用糸を挿通した筒状の熱収縮性合成樹脂フィルムを筒体に投入して、この筒体の先細部を加熱装置によって加熱しながら牽引して巻き取ることが可能であり、魚釣りに必要な長さの釣り用ケーブルを作成できる。しかも前記熱収縮性合成樹脂フィルムの材質や同軸ケーブルの本数によって加熱温度や先細部の口径を変化させることが可能であり、魚釣りの仕掛けや釣り竿の種類によって異なる各種の釣り用ケーブルの製造に対応できる。
【００２８】
次に図４乃至図６に従って、本発明の釣り用ケーブルを用いた水中画像撮影システムについて説明する。図４は本発明の釣り用ケーブルを使用する水中画像撮影システムを示し、図５は撮像装置を示し、図６は撮像装置と釣り用の仕掛けの配置を示している。
【００２９】
図に示すように、本発明の水中画像撮影システム１００は、釣竿１２に取付けられ、釣り用ケーブル１を介して先端側に設けられた撮像装置１３と、釣竿１２の手元側に設けられた画像再生装置１４とから構成されており、撮像装置１３によって撮影された水中画像を釣り用ケーブル１の同軸ケーブル２によって画像再生装置１４に伝達する。
【００３０】
釣り用ケーブル１の一端側は、釣り用糸３と同軸ケーブル２が延出して形成されており、この釣り用糸３は接続部材１６を介して２本のステンレス製釣り用部材１７と連結され、この２本の釣り用部材１７は撮像装置１３の後端部に夫々接続されている。そして同軸ケーブル２は撮像装置１３の後端側からコネクター１８を介して後述する撮像用基板と接続されている。また、釣り用ケーブル１の他端側は、釣竿１２の手元部に設けられた巻上げリール１５に巻回され、その先端部は同軸ケーブル２がスリップリング３１を介して延出しており、上記した画像再生装置１４と接続している。尚、巻上げリール１５には各種のものがあり、例えばスピニングリールであれば、中央主軸に沿って同軸ケーブル２を挿通して接続することが可能であり、リールの回転による影響を受けることなく、画像を再生することが出来る。
【００３１】
図４は撮像装置１３を示す説明図であり、筒状の合成樹脂製ケース１９の前方には防水透明蓋２０が設けられ、この防水透明蓋２０の内側には照明用ランプ２１、撮像用半導体装置２２、撮像制御基板２３、電源装置２４が配置され、さらに上述した同軸ケーブル２がコネクター１８を介して撮像制御基板２３と接続している。そして、ケース１９の前方の所定位置に２本の釣り用部材１７が接続され、接続部材１６を介して後述する釣り用の仕掛け２５と接続されている。この構成からなる撮像装置１３を使用して、水中の画像を白色或いは赤外線照明用ランプ２１によって視認ができる状態で撮影することができる。尚、上記電源装置２４のスイッチとして磁気スイッチ（図示せず）が採用されており、ケース１９を開けることなく外部から磁石によってスイッチのオンオフが可能であり、ケース１９を空けてスイッチをオンオフする必要なく、防水を維持することができる。
【００３２】
図６は撮像装置１３と釣り用の仕掛け２５の配置を示しており、図６（ａ）は撮像装置の比重を１とした水中底方向を撮影する配置を示し、図６（ｂ）は撮像装置の溶積を少なくするため、錘の一部として用いる場合の配置を示している。
【００３３】
図６（ａ）は、図５と同じ配置を示しており、撮像装置１３の下方向に仕掛け２５が配置される構造となっている。この仕掛け２５は接続部材１６を介してサビキ針２６が接続され、このサビキ針２６の先端側に餌ケース２７と錘２８が順に配置されるものであり、撮像装置１３によってサビキ針２６周囲の撮影が可能となる。そして、この仕掛け２５に近づく魚、仕掛け２５に掛かった魚の画像が撮影できる。
【００３４】
図６（ｂ）は、図６（ａ）と逆方向に撮影が可能な配置である。図において仕掛け２５は釣り用糸３に天秤金具２９を介して取付けられる。まず天秤金具２９に餌ケース２７、サビキ針２６が接続され、サビキ針２６の端部の接続部材１６を介して、撮像装置１３、錘２８が接続される。この配置によって撮像装置１３によって上向きの撮影が可能となり、上記図６（ａ）と同様にこの仕掛け２５に近づく魚、仕掛け２５に掛かった魚の画像が撮影できる。この際、撮像装置１３と同軸ケーブル２は天秤金具２９の先端孔部３０を挿通して接続され、水中における撮像装置１３の揺動による同軸ケーブル２の捩れ、絡み等を防止する。
【００３５】
上記の構成からなる撮像装置と釣り用仕掛けによれば、釣る魚の種類や水中の位置の違いに応じて魚釣りをしながら撮影が可能であり、撮影された画像は同軸ケーブルを介して画像再生装置に伝達される。
【００３６】
以上、本発明による釣り用ケーブルとその製造装置によれば、画像情報を伝達する少なくとも一つ以上の同軸ケーブルと、耐張力性を有する線材である釣り用糸とを筒状の熱収縮性合成樹脂フィルムに挿通し、該熱収縮性合成樹脂フィルムを加熱して軟化させ長手方向に伸張して一体に構成したため、釣り用糸の引っ張り強度を保ちながらリールによる巻取りができる。しかもこの釣り用ケーブルこれを用いた水中画像撮影システムによって魚釣りをしながら水中画像を撮影して再生することができる。
【符号の説明】
【００３７】
１        釣り用ケーブル
２        同軸ケーブル
３        釣り用糸
４        熱収縮性合成樹脂フィルム
５        釣り用ケーブル製造装置
６        基台
７        筒体
８        加熱装置
９        巻取り装置
１０        先細部
１１        保持体
１２        釣竿
１３        撮像装置
１４        画像再生装置
１５        巻上げリール
１６        接続部材
１７        釣り用部材
１８        コネクター
１９        ケース
２０        防水透明蓋
２１        照明用ランプ
２２        撮像用半導体装置
２３        撮像制御基板
２４        電源装置
２５        仕掛け
２６        サビキ針
２７        餌ケース
２８        錘
２９        天秤金具
３０        先端孔部
３１        スリップリング
【図１】
2010057477.tif 000003
【図２】
2010057477.tif 000004
【図３】
2010057477.tif 000005
【図４】
2010057477.tif 000006
【図５】
2010057477.tif 000007
【図６】
2010057477.tif 000008